(57)【要約】【課題】レジューム機能を利用するにあたってユーザに面倒な操作を強いることなく、かつ、異なる端末でタイトルを再生する場合においても視聴途中のタイトルに対する簡便な操作を実現できる映像タイトル再生装置および映像タイトル再生システムを提供する。【解決手段】映像タイトル再生システム上で再生される映像タイトルに対するレジュームポイントを映像タイトルとともに記憶部３０２で一元的に管理することにより、映像タイトル格納サーバでの再生、再生クライアントの再生を問わず視聴部分までのレジュームポイントがレジューム管理部３０１Ａで常に最新の状態で管理されるようになる。このため、ユーザがいつ、どの端末から映像タイトルの再生を再開する場合であっても、未視聴の部分から容易に視聴を再開することができる。【選択図】図２
2007180818.tif 000002
【特許請求の範囲】
【請求項１】
映像タイトルを記録する記憶部と、
前記記憶部に記録された映像タイトルを再生するタイトル再生部と、
再生された前記映像タイトルを家庭内ネットワークに伝送するネットワークインターフェース部と、
前記映像タイトルの再生中断に基づくレジュームポイントを設定し、前記レジュームポイント設定後の前記映像タイトルの再生要求に基づいて前記レジュームポイントから前記映像タイトルを再生させる制御部とを有することを特徴とする映像タイトル再生装置。
【請求項２】
映像タイトルを記録する記憶部と、
前記記憶部に記録された映像タイトルを再生するタイトル再生部と、
前記タイトル再生部で再生された前記映像タイトルに基づく映像を表示するディスプレイと、
再生された前記映像タイトルを家庭内ネットワークに伝送するネットワークインターフェース部と、
前記映像タイトルの再生中断に基づくレジュームポイントを設定し、前記レジュームポイント設定後の前記映像タイトルの再生要求に基づいて前記レジュームポイントから前記映像タイトルを再生させる制御部とを有することを特徴とする映像タイトル再生装置。
【請求項３】
映像タイトルを記録する記憶部と、
前記記憶部に記録された映像タイトルを再生するタイトル再生部と、
前記タイトル再生部で再生された前記映像タイトルに基づく映像を表示するディスプレイと、
再生された前記映像タイトルを家庭内ネットワークに伝送するネットワークインターフェース部と、
前記映像タイトルの再生中断に基づくレジュームポイントを設定し、前記レジュームポイント設定後の前記映像タイトルの再生要求に基づいて前記レジュームポイントから前記映像タイトルを再生させるとともに再生される前記映像タイトルに基づく再生信号を前記ネットワークインターフェース部を介して前記再生要求を出力した他の再生端末に送信する制御部とを有することを特徴とする映像タイトル再生装置。
【請求項４】
前記制御部は、前記レジュームポイントの生成に基づく管理データを前記記憶部に形成し、前記レジュームポイント生成後の前記再生要求に基づいて前記管理データに記録された前記レジュームポイントから前記映像タイトルの再生を実行させるレジューム管理部を含む請求項１に記載の映像タイトル再生装置。
【請求項５】
映像タイトルを保有する記憶部と、前記記憶部に保有された映像タイトルを再生するタイトル再生部と、再生された前記映像タイトルを家庭内ネットワークに伝送するネットワークインターフェース部と、前記映像タイトルの再生中断に基づくレジュームポイントを設定し、前記レジュームポイント設定後の前記映像タイトルの再生要求に基づいて前記レジュームポイントから前記映像タイトルを再生させる制御部とを有する映像タイトル格納サーバと、
前記映像タイトル格納サーバの前記記憶部に格納された前記映像タイトルに対して再生要求を出力するとともに前記再生要求に基づく前記映像タイトルの再生信号を画面表示する再生クライアントとを有することを特徴とする映像タイトル再生システム。
【請求項６】
前記再生クライアントは、前記映像タイトル格納サーバあるいは他の再生クライアントによって設けられるレジュームポイントから再生される前記映像タイトルに基づく再生信号を画面表示する請求項５に記載の映像タイトル再生システム。
【請求項７】
前記映像タイトル格納サーバは、前記映像タイトルの再生信号を出力可能な再生機器についての識別情報毎に前記レジュームポイントを管理する請求項５に記載の映像タイトル再生システム。
【請求項８】
前記映像タイトル格納サーバは、複数の再生機器を有するグループ毎に共有される前記レジュームポイントを管理する請求項５に記載の映像タイトル再生システム。
【発明の詳細な説明】
【技術分野】
【０００１】
本発明は、映像タイトル再生装置および映像タイトル再生システムに関し、特に、レジューム機能を利用するにあたってユーザに面倒な操作を強いることなく、かつ、異なる端末でタイトルを再生する場合においても視聴途中のタイトルに対する簡便な操作を実現できる映像タイトル再生装置および映像タイトル再生システムに関する。
【背景技術】
【０００２】
近年、動画や音楽ファイル等のコンテンツをハードディスクドライブ等の記録部に格納し、これを再生することによりＴＶ装置等でデジタルコンテンツを観賞することのできる再生装置が普及しつつある。デジタルコンテンツは経年によるデータの劣化が殆ど無く、ランダムアクセス性に優れるというメリットを有している。
【０００３】
これらの再生装置において、コンテンツのランダムアクセス性を利用してユーザの利便性を高めるレジューム機能を搭載するものがある。レジューム機能とは、メディアに記録されたタイトル（コンテンツ）の再生中に、ユーザが一時的に再生を停止した後、再び再生指示を行った場合、再生を停止した箇所から引き続きタイトルを再生できる機能である。
【０００４】
また、上記した再生装置を含むデジタルＡＶ機器を家庭内で相互に接続するものとしてＤＬＮＡ（Digital Living Network Alliance）が提唱されている。
【０００５】
このＤＬＮＡによれば、タイトルを提供するサーバとタイトルを再生するクライアントが提唱される伝送規格および通信プロトコル等の接続条件に合致していれば、特別な設定なしに相互接続が可能であってタイトルの共用化を図れる。そのため、前述のレジューム機能を活用することによって家庭内で共用するタイトルを効率良く運用することが可能になる。
【０００６】
レジューム機能を用いたコンテンツの運用について、共有するメディアに記録されているタイトルを複数のユーザで視聴でき、かつ、ユーザ毎にレジューム機能に基づく再生中断箇所から容易に再生を再開できる再生装置が提案されている（例えば、特許文献１参照。）。
【特許文献１】特開２００５−１２９０９３号公報
【発明の開示】
【発明が解決しようとする課題】
【０００７】
しかし、特許文献１に記載された発明によると、共有するメディアのタイトルに対して複数のユーザがアクセスする環境でのレジューム管理であるため、ユーザ単位でレジューム機能に対する設定操作が必要になり、ユーザの負担が増加して利便性が低下するという問題がある。
【０００８】
従って、本発明の目的は、レジューム機能を利用するにあたってユーザに面倒な操作を強いることなく、かつ、異なる端末でタイトルを再生する場合においても視聴途中のタイトルに対する簡便な操作を実現できる映像タイトル再生装置および映像タイトル再生システムを提供することにある。
【課題を解決するための手段】
【０００９】
本発明は、上記の目的を達成するため、映像タイトルを記録する記憶部と、前記記憶部に記録された映像タイトルを再生するタイトル再生部と、再生された前記映像タイトルを家庭内ネットワークに伝送するネットワークインターフェース部と、前記映像タイトルの再生中断に基づくレジュームポイントを設定し、前記レジュームポイント設定後の前記映像タイトルの再生要求に基づいて前記レジュームポイントから前記映像タイトルを再生させる制御部とを有する映像タイトル再生装置を提供する。
【００１０】
また、本発明は、上記の目的を達成するため、映像タイトルを記録する記憶部と、前記記憶部に記録された映像タイトルを再生するタイトル再生部と、前記タイトル再生部で再生された前記映像タイトルに基づく映像を表示するディスプレイと、再生された前記映像タイトルを家庭内ネットワークに伝送するネットワークインターフェース部と、前記映像タイトルの再生中断に基づくレジュームポイントを設定し、前記レジュームポイント設定後の前記映像タイトルの再生要求に基づいて前記レジュームポイントから前記映像タイトルを再生させる制御部とを有する映像タイトル再生装置を提供する。
【００１１】
また、本発明は、上記の目的を達成するため、映像タイトルを記録する記憶部と、前記記憶部に記録された映像タイトルを再生するタイトル再生部と、前記タイトル再生部で再生された前記映像タイトルに基づく映像を表示するディスプレイと、再生された前記映像タイトルを家庭内ネットワークに伝送するネットワークインターフェース部と、前記映像タイトルの再生中断に基づくレジュームポイントを設定し、前記レジュームポイント設定後の前記映像タイトルの再生要求に基づいて前記レジュームポイントから前記映像タイトルを再生させるとともに再生される前記映像タイトルに基づく再生信号を前記ネットワークインターフェース部を介して前記再生要求を出力した他の再生端末に送信する制御部とを有する映像タイトル再生装置を提供する。
【００１２】
また、本発明は、上記の目的を達成するため、映像タイトルを保有する記憶部と、前記記憶部に保有された映像タイトルを再生するタイトル再生部と、再生された前記映像タイトルを家庭内ネットワークに伝送するネットワークインターフェース部と、前記映像タイトルの再生中断に基づくレジュームポイントを設定し、前記レジュームポイント設定後の前記映像タイトルの再生要求に基づいて前記レジュームポイントから前記映像タイトルを再生させる制御部とを有する映像タイトル格納サーバと、前記映像タイトル格納サーバの前記記憶部に格納された前記映像タイトルに対して再生要求を出力するとともに前記再生要求に基づく前記映像タイトルの再生信号を画面表示する再生クライアントとを有する映像タイトル再生システムを提供する。
【発明の効果】
【００１３】
本発明によれば、レジューム機能を利用するにあたってユーザに面倒な操作を強いることなく、かつ、異なる端末でコンテンツを再生する場合においても視聴途中のコンテンツに対する簡便な操作を実現することができる。
【発明を実施するための最良の形態】
【００１４】
（第１の実施の形態）
図１は、本発明の第１の実施の形態に係るホームネットワークの概略構成図である。
【００１５】
（ホームネットワークの構成）
このホームネットワークは、ＰＣ本体３０、ディスプレイ３１、キーボード３２、マウス３３を有し、映像タイトル格納サーバとして複数のコンテンツ（映像タイトル）を蓄積する記憶部を備えた映像タイトル再生装置であるＰＣ装置３００と、再生クライアントとしてのＴＶ装置１０、２０とをＬＡＮ（Local Area Network）４０に接続することにより映像タイトル再生システムを構成している。ＬＡＮ４０への接続は、各機器に設けられるＮＩＣ（Network Interface Card）を介して行われる。ここで、ＴＶ装置１０、２０、およびＰＣ装置３００は、それぞれ異なる部屋に設置されているものである。
【００１６】
ＰＣ装置３００は、記憶部に格納された映像タイトルを再生する再生クライアント機能を有し、ディスプレイ３１による視聴を可能とするほかにＬＡＮ４０を介して視聴要求のあったＴＶ装置１０、２０に対して要求された映像タイトルを再生し、ＬＡＮ４０を介して伝送する。映像タイトルはＭＰＥＧ２方式により圧縮されて記憶部に格納されている。
【００１７】
ＰＣ装置３００は、ユーザによる再生が映像タイトルの中途で停止されたとき、その映像タイトルの再生中断箇所(レジュームポイント)を記憶する。記憶したレジュームポイントは、次回の本体内蔵再生クライアントでの再生時でも、外部再生クライアントでの再生時でも更新される。
【００１８】
ＴＶ装置１０、２０は、ＰＣ装置３００へ映像タイトルの再生要求を行うと、ＰＣ装置３００が記憶しているレジュームポイントから映像を送出する。ＴＶ装置１０、２０が停止した場合、ＰＣ装置３００はレジュームポイントを該当停止位置に更新する。
【００１９】
（各部の構成）
図２は、映像タイトル格納サーバとなるＰＣ装置の構成を示すブロック図である。このＰＣ装置３００は、レジュームポイントを管理するレジューム管理部３０１Ａを有する制御部３０１と、ハードディスクドライブからなる記憶部３０２と、データの一時保存および作業用のメモリ３０３と、映像タイトルの音声信号についての処理を行うオーディオデコード部３０４と、デコードされた音声信号をＤ／Ａ変換してスピーカに出力する音声出力部３０５と、映像タイトルの映像信号についての処理を行うＭＰＥＧデコード部３０６と、デコードされた映像信号をＮＴＳＣ信号にエンコードしてディスプレイに出力するＮＴＳＣエンコード部３０７と、ネットワーク（ＬＡＮ）に接続するためのネットワークインターフェース部３０８とを内部バス３０９を介して接続することにより構成されており、オーディオデコード部３０４、音声出力部３０５、ＭＰＥＧデコード部３０６、およびＮＴＳＣエンコード部３０７でタイトル再生部を構成し、各部の操作信号はマウスおよびキーボードを含む入力操作部３１０によって行われる。
【００２０】
図３は、再生クライアントとなるＴＶ装置の構成を示すブロック図である。このＴＶ装置１０は、ＴＶ装置各部を制御する制御部１０１と、ＴＶ装置１０の動作に必要なファームウエア等のソフトウエアや種々のデータを格納したメモリ１０２と、映像タイトルの音声信号についての処理を行うオーディオデコード部１０３と、デコードされた音声信号をＤ／Ａ変換してスピーカに出力する音声出力部１０４と、映像タイトルの映像信号についての処理を行うＭＰＥＧデコード部１０５と、デコードされた映像信号をＮＴＳＣ信号にエンコードしてディスプレイに出力するＮＴＳＣエンコード部１０６と、ネットワーク（ＬＡＮ）に接続するためのネットワークインターフェース部１０７とを内部バス１０８を介して接続することにより構成されており、オーディオデコード部１０３、音声出力部１０４、ＭＰＥＧデコード部１０５、およびＮＴＳＣエンコード部１０６でタイトル再生部を構成し、各部の操作信号は図示しないリモートコントローラの操作に応じて送信される信号光を受光する受光部を含むスイッチ等の入力操作部１０９によって行われる。なお、ＴＶ装置２０についてはＴＶ装置１０と同様の構成を有することから、重複する説明を省略する。
【００２１】
以下に、第１の実施の形態の映像タイトル再生システムの動作について図１から図４を参照しつつ説明する。第１の実施の形態では、同一のユーザによる映像タイトルの再生について説明する。
【００２２】
図４は、第１の実施の形態における映像タイトルの再生について示す動作概略図である。まず、ユーザがＰＣ装置３００において映像タイトルを視聴し、その途中で都合により中断したとする。このとき、ＰＣ装置３００の記憶部３０２には映像タイトルのレジューム情報が含まれた管理データが作成され、映像タイトルのレジュームポイントＡが経過時刻とともに管理データに記録される。
【００２３】
次に、ユーザはＰＣ装置３００が設けられる部屋と異なる部屋に設置されたＴＶ装置１０に対し、図示しないリモートコントローラを操作して、ＰＣ装置３００で再生を中断した映像タイトルの再生要求を入力する。この再生要求信号はＬＡＮ４０を介してＰＣ装置３００に送信され、ＰＣ装置３００は再生要求信号に基づいて映像タイトルの再生を再開する。
【００２４】
ＰＣ装置３００のレジューム管理部３０１Ａは、記憶部３０２に映像タイトルのレジューム情報が含まれた管理データが存在するか否かを確認し、管理データが存在するときはそのレジューム情報に基づくレジュームポイントから再生を再開する。ここでは、ＰＣ装置３００において映像タイトルをレジュームポイントＡまで視聴した管理データが記憶部３０２に存在することから、レジューム管理部３０１Ａは制御部３０１にレジュームポイントＡからの再生を指示する。
【００２５】
次に、ユーザがＴＶ装置１０においてレジュームポイントＡから映像タイトルを視聴し、その途中で視聴を中断して就寝したとする。このとき、ＰＣ装置３００の記憶部３０２に格納されている管理データに映像タイトルのレジュームポイントＢが経過時刻とともに記録される。
【００２６】
翌日、ユーザはＰＣ装置３００およびＴＶ装置１０が設けられる部屋と異なる部屋に設置されたＴＶ装置２０に対し、図示しないリモートコントローラを操作して、ＴＶ装置１０で再生を中断した映像タイトルの再生要求を入力する。この再生要求信号はＬＡＮ４０を介してＰＣ装置３００に送信され、ＰＣ装置３００は再生要求信号に基づいて映像タイトルの再生を再開する。
【００２７】
ＰＣ装置３００のレジューム管理部３０１Ａは、記憶部３０２に映像タイトルのレジューム情報が含まれた管理データが存在するか否かを確認する。ここでは、ＴＶ装置１０において映像タイトルをレジュームポイントＢまで視聴した管理データが記憶部３０２に存在することから、レジューム管理部３０１Ａは制御部３０１にレジュームポイントＢからの再生を指示する。ユーザはレジュームポイントＢから最後（ＥＮＤ）まで映像タイトルを視聴し、終了後に再生を停止すると記憶部３０２の管理データにはレジュームポイントＥＮＤが記録される。
【００２８】
（第１の実施の形態の効果）
上記した第１の実施の形態によると、映像タイトル再生システム上で再生される映像タイトルに対するレジュームポイントを映像タイトルとともに記憶部３０２で一元的に管理することにより、映像タイトル格納サーバでの再生、再生クライアントの再生を問わず視聴部分までのレジュームポイントがレジューム管理部３０１Ａで常に最新の状態で管理されるようになる。このため、ユーザがいつ、どの端末から映像タイトルの再生を再開する場合であっても、未視聴の部分から容易に視聴を再開することができる。
【００２９】
なお、映像タイトルを各端末で再生する際に、前述の管理データに基づくレジュームポイントからの再生を行うか、あるいはレジュームポイントによらない最初からの再生かを選択する画面が表示される。ここでレジュームポイントによらない再生を指定すると、映像タイトルを最初から再生できることにより、例えば、異なるユーザが同じ映像タイトルの視聴を希望した場合にレジュームポイントに依存しない通常再生を行うことができる。
【００３０】
（第２の実施の形態）
図５は、本発明の第２の実施の形態に係るホームネットワークの概略構成図である。
【００３１】
（ホームネットワークの構成）
このホームネットワークは、第１の実施の形態で説明したＰＣ装置３００と、再生クライアントとしてのＴＶ装置１０、２０とをＬＡＮ（Local Area Network）に接続することにより映像タイトル再生システムを構成している点で共通しているが、レジュームポイントの情報とともに、再生機器を識別するための識別情報を管理データに記録する点で第１の実施の形態と相違している。図５においては、端末ＩＤ００１のＰＣ装置３００による映像タイトルに対するレジュームポイントＰ００１と、端末ＩＤ００２のＴＶ装置１０による映像タイトルに対するレジュームポイントＰ００２と、端末ＩＤ００３のＴＶ装置２０による映像タイトルに対するレジュームポイントＰ００３とが管理データに記録されている状態を示している。
【００３２】
本実施の形態では、識別情報として各端末に設けられるネットワークインターフェース部のＭＡＣ（Media Access Control）アドレスを映像タイトルのレジュームポイントとともに管理データに記録する。
【００３３】
図６は、ＰＣ装置のディスプレイに表示させた管理データの表示画面を示す説明図である。管理データを示す表示画面３２０は、タイトル名表示部３２１と、レジュームポイントの情報としてレジュームポイント表示部３２２と、レジュームポイント時刻３２３によって構成され、レジュームポイント表示部３２２には、再生機器のＭＡＣアドレスに対応する「Ｐ００１」、「Ｐ００２」、および「Ｐ００３」の名前が付されている。なお、レジュームポイント表示部３２２にＭＡＣアドレスの表記をそのまま用いても良い。
【００３４】
（第２の実施の形態の効果）
上記した第２の実施の形態によると、第１の実施の形態の好ましい効果に加えて再生機器毎に映像タイトル毎のレジュームポイントを管理することができ、ユーザの操作を増やすことなく、ＬＡＮ接続されたクライアント機器毎のレジューム再生を実現することができる。例えば、ＴＶ装置１０で映像タイトルを視聴しているユーザとＴＶ装置２０で映像タイトルを視聴しているユーザとでレジュームポイントを別々に管理することも可能になる。
【００３５】
（第３の実施の形態）
図７は、本発明の第３の実施の形態に係る映像タイトル再生装置を含むホームネットワークの概略構成図である。
【００３６】
（ホームネットワークの構成）
このホームネットワークは、第１の実施の形態で説明したＰＣ装置３００を含む機器グループ１と、再生クライアントとしてのＴＶ装置１０Ａ、１０Ｂを含む機器グループ２と、ＴＶ装置２０Ａ、２０Ｂを含む機器グループ３とをＬＡＮ（Local Area Network）に接続して構成されており、レジュームポイントは機器グループ毎に管理されるようにしたものである。機器グループの設定は第１の実施の形態で説明した管理データに記録されている。
【００３７】
図８は、ＰＣ装置のディスプレイに表示させた管理データのグループ設定における表示画面を示す説明図である。グループ設定を示す表示画面３２０は、グループ名表示部３２４と、グループ表示部３２５と、グループに属する再生機器のＭＡＣアドレスを表示するＭＡＣアドレス表示部３２６によって構成され、同図においてはグループ名を「機器グループ」、各グループを「１」、「２」、「３」と分類して登録している。なお、機器グループの定義として、例えば、同一の部屋に設置された再生機器を想定している。
【００３８】
このような構成において、例えば、機器グループ２のＴＶ装置１０Ａによって映像タイトルのレジュームポイントが設定されたとすると、そのレジュームポイントは機器グループ２に対するレジュームポイントとなり、同一機器グループ２の再生機器であれば、設定されたレジュームポイントから映像タイトルを再生することができる。
【００３９】
ＰＣ装置３００は、機器グループ２のＴＶ装置１０Ｂからの再生要求を受け取ると、管理データを参照して再生クライアントのＭＡＣアドレス情報をもとにレジューム再生ポイントが記憶されているか判断する。ここで、機器グループ２にはＴＶ装置１０Ａ、１０Ｂが属しているので、同じグループであるＴＶ装置１０Ｂでも同一のポイントから映像タイトルのレジューム再生が可能となる。なお、図８では同一機器グループの再生機器を２台で説明したが、これに限定されない。
【００４０】
（第３の実施の形態の効果）
上記した第３の実施の形態によると、第１および第２の実施の形態の好ましい効果に加えて、ある機器グループでひとつのレジュームポイントを共用するようにしたので、例えば、ユーザによって視聴する再生機器が決まっている場合、その再生機器で機器グループのレジュームポイントを利用して映像タイトルを再生することができ、本実施の形態のレジューム再生の利便性を損なうことなく、同一機器グループにおける任意の再生機器を選択して映像タイトルを視聴することができる。
【００４１】
なお、本発明は、上記した各実施の形態に限定されず、本発明の技術思想を逸脱あるいは変更しない範囲内で種々な組み合わせ、変形が可能である。
【図面の簡単な説明】
【００４２】
【図１】本発明の第１の実施の形態に係るホームネットワークの概略構成図である。
【図２】映像タイトル格納サーバとなるＰＣ装置の構成を示すブロック図である。
【図３】再生クライアントとなるＴＶ装置の構成を示すブロック図である。
【図４】第１の実施の形態における映像タイトルの再生について示す動作概略図である。
【図５】本発明の第２の実施の形態に係るホームネットワークの概略構成図である。
【図６】ＰＣ装置のディスプレイに表示させた管理データの表示画面を示す説明図である。
【図７】本発明の第３の実施の形態に係る映像タイトル再生装置を含むホームネットワークの概略構成図である。
【図８】ＰＣ装置のディスプレイに表示させた管理データのグループ設定における表示画面を示す説明図である。
【符号の説明】
【００４３】
１０…ＴＶ装置、１０Ａ，１０Ｂ…ＴＶ装置、２０Ａ，２０Ｂ…ＴＶ装置、３０…本体、３１…ディスプレイ、３２…キーボード、３３…マウス、１０１…制御部、１０２…メモリ、１０３…オーディオデコード部、１０４…音声出力部、１０５…ＭＰＥＧデコード部、１０６…ＮＴＳＣエンコード部、１０７…ネットワークインターフェース部、１０８…内部バス、１０９…入力操作部、３００…ＰＣ装置、３０１…制御部、３０１Ａ…レジューム管理部、３０２…記憶部、３０３…メモリ、３０４…オーディオデコード部、３０５…音声出力部、３０６…ＭＰＥＧデコード部、３０７…ＮＴＳＣエンコード部、３０８…ネットワークインターフェース部、３０９…内部バス、３１０…入力操作部、３２０…表示画面、３２１…タイトル名表示部、３２２…レジュームポイント表示部、３２３…レジュームポイント時刻、３２４…グループ名表示部、３２５…グループ表示部、３２６…アドレス表示部
【図１】
2007180818.tif 000003
【図２】
2007180818.tif 000004
【図３】
2007180818.tif 000005
【図４】
2007180818.tif 000006
【図５】
2007180818.tif 000007
【図６】
2007180818.tif 000008
【図７】
2007180818.tif 000009
【図８】
2007180818.tif 000010